(57)【要約】【課題】吸口ケースの前後幅を小さくして操作性を向上させ、且つ後部からの塵埃の吸込み性を向上させた電気掃除機および吸込具を提供する。【解決手段】第１回転清掃体２０および第２回転清掃体３０が配置される吸込室と、吸込室の上方に配置されて電動機および回路基板を収容する収容室とに区画する隔壁を有する吸口ケースと、を備え、電動機の前端部が第１回転清掃体２０の後端部よりも前方に位置するとともに、収容室には、回転軸の軸方向の一端側に電動機、他端側に回路基板が配置され、第２回転清掃体３０は、少なくとも吸込室の一端から他端にかけて設けられている。【選択図】図３
2015116414.tif 000002
【特許請求の範囲】
【請求項１】
吸引力を発生する電動送風機、および塵埃を集塵する集塵部を有する掃除機本体と、
前記掃除機本体と接続される吸込具と、を備え、
前記吸込具は、
清掃面と平行な回転軸を有する第１回転清掃体と、
前記回転軸と平行な出力軸を有し、前記第１回転清掃体を回転駆動する電動機と、
前記電動機を制御する制御基板と、
前記第１回転清掃体の後方に配置され、前記回転軸と平行な軸を有し、前記清掃面と接する第２回転清掃体と、
前記第１回転清掃体および前記第２回転清掃体が配置される吸込室と、前記吸込室の上方に配置されて前記電動機および前記制御基板を収容する収容室とに区画する隔壁を有する吸口ケースと、を備え、
前記電動機の前端部が前記第１回転清掃体の後端部よりも前方に位置するとともに、前記収容室には、前記回転軸の軸方向の一端側に前記電動機、他端側に前記制御基板が配置され、
前記第２回転清掃体は、少なくとも前記吸込室の前記一端から前記他端にかけて設けられていることを特徴とする電気掃除機。
【請求項２】
前記第２回転清掃体は、前記一端から前記他端に至るまで連続して形成されていることを特徴とする請求項１に記載の電気掃除機。
【請求項３】
前記第２回転清掃体は、前記第１回転清掃体から離間して配置されていることを特徴とする請求項１または請求項２に記載の電気掃除機。
【請求項４】
前記第２回転清掃体は、前記吸口ケースに対して着脱可能に構成されていることを特徴とする請求項１から請求項３のいずれか１項に記載の電気掃除機。
【請求項５】
清掃面と平行な回転軸を有する第１回転清掃体と、
前記回転軸と平行な出力軸を有し、前記第１回転清掃体を回転駆動する電動機と、
前記電動機を制御する制御基板と、
前記第１回転清掃体の後方に配置され、前記回転軸と平行な軸を有し、前記清掃面と接する第２回転清掃体と、
前記第１回転清掃体および前記第２回転清掃体が配置される吸込室と、前記吸込室の上方に配置されて前記電動機および前記制御基板を収容する収容室とに区画する隔壁を有する吸口ケースと、を備え、
前記電動機の前端部が前記第１回転清掃体の後端部よりも前方に位置するとともに、前記収容室には、前記回転軸の軸方向の一端側に前記電動機、他端側に前記制御基板が配置され、
前記第２回転清掃体は、少なくとも前記吸込室の前記一端から前記他端にかけて設けられていることを特徴とする吸込具。
【発明の詳細な説明】
【技術分野】
【０００１】
本発明は、回転清掃体を回転させることで、床面の塵埃を掻き込んで吸引する構造を有する電気掃除機および吸込具に関する。
【背景技術】
【０００２】
従来の電気掃除機の吸込具として、床面の塵埃を掻き込むことが可能な回転清掃体と、この回転清掃体を駆動する電動機と、電動機を制御する制御基板とをケース内に収容し、回転清掃体の後方に電動機を配置し、回転清掃体の後方且つ電動機の下方に制御基板を配置した技術が提案されている（例えば、特許文献１参照）。
【先行技術文献】
【特許文献】
【０００３】
【特許文献１】特開２０１２−２４５１７９号公報
【発明の概要】
【発明が解決しようとする課題】
【０００４】
しかしながら、特許文献１に記載の電気掃除機の吸込具では、回転清掃体の後方に回路基板が配置されているため、吸口ケース（吸込具の筐体）が回転清掃体の後方に大きく延出することで、吸口ケースの前後幅が長くなり、吸込具の後部からの塵埃の吸込みが損なわれるおそれがあった。
【０００５】
本発明は、吸口ケースの前後幅を小さくして操作性を向上させ、且つ後部からの塵埃の吸込み性を向上させた電気掃除機および吸込具を提供することを目的とする。
【課題を解決するための手段】
【０００６】
本発明は、吸引力を発生する電動送風機、および塵埃を集塵する集塵部を有する掃除機本体と、前記掃除機本体と接続される吸込具と、を備え、前記吸込具は、清掃面と平行な回転軸を有する第１回転清掃体と、前記回転軸と平行な出力軸を有し、前記第１回転清掃体を回転駆動する電動機と、前記電動機を制御する制御基板と、前記第１回転清掃体の後方に配置され、前記回転軸と平行な軸を有し、前記清掃面と接する第２回転清掃体と、前記第１回転清掃体および前記第２回転清掃体が配置される吸込室と、前記吸込室の上方に配置されて前記電動機および前記制御基板を収容する収容室とに区画する隔壁を有する吸口ケースと、を備え、前記電動機の前端部が前記第１回転清掃体の後端部よりも前方に位置するとともに、前記収容室には、前記回転軸の軸方向の一端側に前記電動機、他端側に前記制御基板が配置され、前記第２回転清掃体は、少なくとも前記吸込室の前記一端から前記他端にかけて設けられていることを特徴とする。
【発明の効果】
【０００７】
本発明によれば、吸口ケースの前後幅を小さくして操作性を向上させ、且つ後部からの塵埃の吸込み性を向上させた電気掃除機および吸込具を提供できる。
【図面の簡単な説明】
【０００８】
【図１】本発明の第１実施形態に係る電気掃除機の全体を示す外観斜視図である。
【図２】吸込具の上面図である。
【図３】吸込具の下面図である。
【図４】吸込具の上ケースを外した状態を示す上面図である。
【図５】吸込具の内部の配線図である。
【図６】図２のＡ−Ａ線断面図である。
【図７】図２のＢ−Ｂ線断面図である。
【図８】軸受押え部材のロック機構の平面図を示し、（ａ）はロック状態、（ｂ）はロック解除状態である。
【図９】吸込具を後進させたときの塵埃の流れを模式的に示す側面図である。
【図１０】吸込具を前進させたときの塵埃の流れを模式的に示す側面図である。
【図１１】吸込具を後進させたときの塵埃の流れを模式的に示す下面図である。
【図１２】吸込具による別の効果を模式的に示す下面図である。
【図１３】吸込具の内部の冷却風の流れを示す模式図である。
【図１４】本発明の第２実施形態に係る電気掃除機の吸込具を示す下面図である。
【図１５】本発明の第３実施形態に係る電気掃除機の吸込具を示す下面図である。
【発明を実施するための形態】
【０００９】
以下、本発明に係る実施形態について適宜図面を参照して説明するが、本実施形態は以下の内容に限定されるものではなく、本発明の趣旨の範囲内において適宜変更して実施可能である。
【００１０】
（第１実施形態）
図１に示すように、電気掃除機１は、掃除機本体２と、ホース部３と、手元操作スイッチＳＷ等が設けられた操作管４と、伸縮自在に設けられた延長管５と、吸込具６とを備えて構成されている。
【００１１】
掃除機本体２は、吸引力を発生させる電動送風機２ａ、この電動送風機２ａの吸引力で集塵した塵埃を収容する集塵部２ｂなどを備えている。なお、本実施形態では、いわゆるサイクロン式の電気掃除機１を例に挙げて説明するが、いわゆる紙パック式の電気掃除機に適用してもよい。
【００１２】
ホース部３の一端は、掃除機本体２の集塵部２ｂと連通するように掃除機本体２の接続口２ｃに接続されている。また、ホース部３の他端は、操作管４の一端に接続されている。
【００１３】
操作管４は、手元操作スイッチＳＷなどを備えたグリップ４ａ、延長管５が接続されて掃除機本体２から給電される図示しない給電端子などを備えている。この給電端子には、延長管５の一端に設けられる図示しない通電端子が接続される。
【００１４】
操作管４の手元操作スイッチＳＷを操作することなどによって、電動送風機２ａの運転の強弱切り替えや、吸込具６に設けられた第１回転清掃体２０（図３参照）の入り切り等が可能となっている。
【００１５】
延長管５は、外管５ａと内管５ｂとを備え、外管５ａの他端部に内管５ｂの一端部が挿入されて外管５ａと内管５ｂとの内側に設けられた図示しない通風路が連通するように連結されて、伸縮自在に構成されている。なお、図１は、延長管５が最短の状態を図示している。
【００１６】
図２は、吸込具の上面図である。
図２に示すように、吸込具６は、上面視において略Ｔ字形状を呈する吸口ケース１０と、吸口ケース１０に連結される吸口継手１３と、を備えている。
【００１７】
吸口ケース１０は、上面視において、左右方向（幅方向、後記する第１回転清掃体２０の回転軸の軸方向）に細長く形成された吸口本体１１と、吸口本体１１の長手方向の中央部に吸口継手１３と連結される連結部１２と、を備えている。連結部１２には、吸口本体１１と吸口継手１３とを連通させる流路Ｒ（図３参照）が形成されている。
【００１８】
吸口本体１１には、前端面から左右側面にかけてバンパ１１ａが設けられている。バンパ１１ａは、ゴムやエラストマー等の弾性材料から形成されており、使用時に吸口本体１１内の気密を確保するとともに、電気掃除機１（図１参照）の使用時に吸口本体１１が家具等に衝突した際に、当該家具等への傷付きと吸口本体１１への衝撃を吸収する緩衝材の役割を果たしている。
【００１９】
吸口継手１３は、連結部１２に対して回動自在に連結される第１連結部１４と、この第１連結部１４に対して回動自在に連結される第２連結部１５と、を備えている。
【００２０】
第１連結部１４は、図２の上面視において略半トラック形状を呈し、連結部１２と連結される円筒形状の軸１４ａを有している。この軸１４ａは、軸方向が吸口本体１１の長手方向であって、軸１４ａの両端部が連結部１２に形成された軸受部１２ｇ，１２ｇ（図４参照）に支持されている。また、第１連結部１４は、床面（清掃面）Ｍ（図６参照）に対して略平行な状態から略垂直な状態まで（上下方向に）回動可能となるように構成されている。すなわち、第１連結部１４を吸口ケース１０に対して軸１４ａを支点として回動させることによって、延長管５を床面Ｍ（図６参照）に略平行な状態と略垂直な状態との間において回動させることができる。
【００２１】
第２連結部１５は、第１連結部１４に対して吸口本体１１の長手方向に（図２の紙面時計回り方向および反時計回り方向に）回動可能となるように構成されている。これにより、例えば、延長管５を床面Ｍに対して略垂直にした状態から、延長管５を床面Ｍに略平行な状態に向けて倒すことができる。
【００２２】
また、第２連結部１５には、給電が行われる給電端子１５ａ，１５ａが設けられている。なお、本実施形態の電気掃除機１（図１参照）では、吸込具６に給電する電力を、掃除機本体２からホース部３、操作管４、延長管５を通じて供給するように構成されている。
【００２３】
このような吸口継手１３は、例えば延長管５（図１参照）を床面Ｍに対して略垂直とした状態において、その延長管５を左右方向（長手方向）に倒して、操作管４（グリップ４ａ）を左右方向のいずれかにねじることで、吸口本体１１を左右方向のいずれかに略９０度回転させ、吸口本体１１の左右方向を移動方向にした掃除が可能である。したがって、壁際に沿って吸込具６を移動させて掃除したり、狭い隙間に吸込具６を挿入したりして掃除することが可能になる。
【００２４】
図３は、吸込具の下面図である。
図３に示すように、吸込具６は、第１回転清掃体２０、第２回転清掃体３０を備えている。吸口ケース１０（吸口本体１１）には、下面（清掃面に対峙する面）に、開口部を有する吸込室Ｑ２（図６参照）が形成されている。
【００２５】
第１回転清掃体２０は、吸口本体１１の長手方向（左右方向）に沿って前後方向の前側に配置され、吸口本体１１に回転可能に支持されている。また、第１回転清掃体２０は、吸口本体１１の長手方向（第１回転清掃体２０の軸方向）の一端側から他端側まで連続して設けられている。
【００２６】
また、第１回転清掃体２０は、硬さが異なるブラシなど複数種類のブラシ２０ａ，２０ｂ，２０ｃを備え、各ブラシ２０ａ，２０ｂ，２０ｃが回転軸２１（図６参照）に対してらせん状に配設されている。なお、本実施形態では、３種類のブラシ２０ａ，２０ｂ，２０ｃを配設した場合を例に挙げて説明したが、これに限定されるものではなく、２種類以下であってもよく、４種類以上であってもよく、らせん状に配置されたブラシ間にゴムなどの弾性材料からなるブレード部材をらせん状に配置する構成を追加してもよく、適宜変更することができる。
【００２７】
第２回転清掃体３０は、第１回転清掃体２０の直径よりも小径の刷毛体３０ｂを有し、第１回転清掃体２０に対して後方且つ平行に配置されている。また、第２回転清掃体３０は、第１回転清掃体２０の軸方向（吸口本体１１の長手方向）の一端側から他端側にかけて連続して設けられている。換言すると、第２回転清掃体３０は、１本の刷毛体３０ｂによって構成されている。
【００２８】
また、第２回転清掃体３０は、第１回転清掃体２０の回転軸２１と平行な軸部３０ａ（軸）を有し、軸部３０ａが吸口ケース１０（吸口本体１１）に回転可能に支持されている。なお、第２回転清掃体３０は、電動機によって駆動されるものではなく、吸込具６を移動させたときの床面Ｍ（図６参照）との摩擦力によって回転するように構成されたものである。このように、第２回転清掃体３０は、電動機によって駆動するものではなく、軸部３０ａを介して吸口本体１１に支持されるものであるので、第２回転清掃体３０の構成を簡略化することができる。
【００２９】
吸込具６は、吸口ケース１０の連結部１２の下面に、ブラシ駆動スイッチ１６、車輪１７、軸受押え部材３１，３２を備えている。
【００３０】
ブラシ駆動スイッチ１６は、吸込具６の下面が床面Ｍ（清掃面）に接触しているか否かを検出するスイッチであり、車輪１６ａとともに構成されている。この車輪１６ａは、ばね等の付勢手段によって常に吸口ケース１０（連結部１２）の下面から一部が突出するように設けられている。そして、車輪１６ａが吸口ケース１０から飛び出して床面Ｍと接触していないと検出されたときには、後記する回路基板５０（制御基板）の制御によって電動機４０の駆動が停止され、第１回転清掃体２０の回転が停止する。また、車輪１６ａが押し込まれて床面Ｍと接触していると検出されたときには、回路基板５０の制御によって電動機４０が駆動され、第１回転清掃体２０が回転する。
【００３１】
車輪１７は、操作管４で操作される前後動や回転操作の応力を受けて吸込具６の底面を床面（清掃面）に密着させ、これにより吸込具６の操作性能を向上する役割を有している。
【００３２】
また、車輪１７は、第２回転清掃体３０の軸部３０ａ（図６参照）と平行な軸１７ａを有し、この軸１７ａが吸口ケース１０（連結部１２）に回動自在に支持されている。また、車輪１７は、軸方向の中央に左右両端よりも小径の小径部１７ｂを有している。なお、小径部１７ｂによって形成される凹みは、車輪１７が床面Ｍに接触したときに、例えば、米粒などの粒形の大きな固形塵埃が通過できる大きさ以上の隙間に設定される。
【００３３】
軸受押え部材３１は、第１回転清掃体２０の回転軸２１（図６参照）および第２回転清掃体３０の軸部３０ａ（図６参照）の一端を支持するものであり、吸口ケース１０にねじ３１ｂを介して固定されている。
【００３４】
軸受押え部材３２は、第１回転清掃体２０の回転軸２１（図６参照）および第２回転清掃体３０の軸部３０ａ（図６参照）の他端を支持するものであり、吸口ケース１０に後記するロック機構（図８参照）を介して固定されている。
【００３５】
図４は、吸込具の上ケースを外した状態を示す上面図である。
図４に示すように、吸込具６は、第１回転清掃体２０（図３参照）および第２回転清掃体３０（図３参照）の上方に、第１回転清掃体２０を駆動する電動機４０および電動機４０を制御する回路基板５０を備えている。
【００３６】
電動機４０は、吸口本体１１（下ケース１１Ａ）の長手方向の一端側に取り付けられている。また、電動機４０は、その出力軸４０ａ（図６参照）が吸口本体１１の長手方向と平行に配置されている。また、電動機４０の出力軸４０ａ（図６参照）は、長手方向の一端側に向けて延び、吸口本体１１内の一端部（図示右側の端部）において、歯付きベルト４１ｐを介して第１回転清掃体２０の回転軸２１（図６参照）と連結されている。
【００３７】
また、電動機４０は、ステータ４１の一端に、フロントキャップ４２が固定され、ステータ４１の他端に、図示しないリアキャップを介してカバー部材４３が取り付けられている。
【００３８】
ステータ４１には、フロントキャップ４２側の外周面に、冷却用の空気をステータ４１内に導入するための開口４１ｃが形成されている。また、ステータ４１のカバー部材４３側には、冷却用の空気をステータ４１内から排出するための開口４１ｄが形成されている。なお、開口４１ｃ，４１ｄの個数や位置は、電動機４０を冷却できるものであれば本実施形態に限定されるものではなく適宜変更できる。
【００３９】
カバー部材４３は、ステータ４１の図示しないリアキャップの端部に被せられる部材であり、合成ゴム等の弾力性を有する絶縁部材で形成され、リアキャップに設けられた電気部品を覆っている。本実施形態では、このカバー部材４３の弾力性を利用して収容室Ｑ１に電動機４０の一端側が支持されているので、電動機４０の振動が吸口ケース１０（図２参照）に伝わり難い構造となっている。
【００４０】
なお、フロントキャップ４２には、図示しない合成ゴム等の弾力性を有するブッシュが装着され、このブッシュを介して、電動機４０が吸口ケース１０（図２参照）の下ケース１１Ａと上ケース１１Ｂ（図６参照）との間に支持されるようになっている。したがって、電動機４０は、フロントキャップ４２側においても防振構造が採用されている。
【００４１】
回路基板５０は、吸口本体１１の長手方向の他端側に取り付けられている。また、回路基板５０は、長辺が長手方向に沿って配置された長方形状の基板を有し、実装面５０ａが鉛直方向上向きの状態で吸口本体１１内に配置されている。なお、実装面５０ａは、必ずしも鉛直方向上向きに限定されず、水平方向に対して傾斜してもよく、前後方向を向くように（縦向きに）してもよい。
【００４２】
連結部１２は、軸受部１２ｇを含む領域に、電動機４０が収容される空間（収容室Ｑ１）と連通する空間Ｑ３を有している。この空間Ｑ３は、軸１４ａの筒状空間と連通し、第１連結部１４の内部の流路Ｒ（図３参照）と連通している。また、流路Ｒ（図３参照）と空間Ｑ３とを区画する壁部１２ａには、流路Ｒ（図３参照）と空間Ｑ３とを連通させる連通孔１２ａ１が形成されている。
【００４３】
吸口本体１１の一端側には、軸受ユニット部４１ｕが設けられている。この軸受ユニット部４１ｕには、電動機４０からの駆動力を第１回転清掃体２０（図３参照）に伝達するプーリ４１ｇや歯付きベルト４１ｐなどからなる動力伝達機構が設けられている。
【００４４】
図５は、吸込具の内部の配線図である。
図５に示すように、回路基板５０は、リード線６０ａ，６０ａを介して電動機４０と接続され、給電端子１５ａ（図４参照）とリード線６０ｂ，６０ｂを介して接続され、リード線６０ｃ，６０ｃを介してブラシ駆動スイッチ１６（図３参照）と接続されている。
【００４５】
吸口ケース１０は、電動機４０と回路基板５０とが収容される収容室Ｑ１（図６参照）と、第１回転清掃体２０および第２回転清掃体３０が収容される吸込室Ｑ２（図６参照）とを区画する隔壁１１ｃに、収容室Ｑ１と吸込室Ｑ２とを連通させる連通部１８，１９が形成されている。
【００４６】
連通部１８は、複数の小孔１８ａで構成され、吸口本体１１の電動機４０と回路基板５０との間に位置して、吸込室Ｑ２（図６参照）と連通している。
【００４７】
連通部１９は、複数の小孔１９ａで構成され、連結部１２に位置して、流路Ｒ（図３参照）と連通している。なお、小孔１９ａは、吸口本体１１の長手方向の中心よりも回路基板５０側に偏って形成されている。
【００４８】
吸込具６は、吸口本体１１の長手方向（左右方向）の中央部に発光手段７０を備えている。この発光手段７０は、長手方向に細長く延びる導光板７１と、導光板７１を支持する脚部７２ａ，７２ｂと、ＬＥＤ素子７３と、を含んで構成されている。
【００４９】
導光板７１は、例えば、アクリル樹脂などの透明または半透明の板状部材で構成され、脚部７２ａ，７２ｂを介して回路基板５０よりも鉛直方向上方において水平となるように配置されている。脚部７２ａは、回路基板５０上の角部（内側後方の角部）に配置され、脚部７２ｂは、隔壁１１ｃ上に配置されている。
【００５０】
ＬＥＤ素子７３は、回路基板５０の角部の脚部７２ａの位置に実装されている。なお、回路基板５０には、ＬＥＤ素子７３を発光させる駆動回路も設けられている。このように、ＬＥＤ素子７３の駆動回路を回路基板５０に組み込むことにより、部品点数（基板数）を削減することができる。
【００５１】
ＬＥＤ素子７３が発光することにより、導光板７１の端部から中央部の露出部７１ａに光が伝達される。露出部７１ａは、吸口本体１１に形成された開口１１ｂ（図２参照）から外部に露出する部分である。このように、ＬＥＤ素子７３を、露出部７１ａに最も近い側の回路基板５０に配置することにより、導光板７１の長さを最小にすることができる。
【００５２】
なお、ＬＥＤ素子７３としては、単色に発光する素子に限定されず、多色に発光する素子を用いて、電気掃除機１の運転モードに応じて発光する色を切り替えるようにしてもよい。
【００５３】
図６は、図２のＡ−Ａ線断面図である。
図６に示すように、吸口ケース１０の吸口本体１１は、第１回転清掃体２０を覆うように下部分を形成する下ケース１１Ａ、および下ケース１１Ａの上部に被着された上ケース１１Ｂを備えている。これら下ケース１１Ａ、上ケース１１Ｂを含む吸口ケース１０および前記した吸口継手１３の主たる部品は、軽量で硬質の材料、例えば、ＡＢＳ樹脂等の合成樹脂材料で形成され、剛性が高められている。
【００５４】
下ケース１１Ａは、第１回転清掃体２０および第２回転清掃体３０が配置される吸込室Ｑ２と、電動機４０が収容される収容室Ｑ１とを区画する隔壁１１ｃを有している。この隔壁１１ｃは、第１回転清掃体２０の表面に沿って形成される隔壁湾曲部１１ｄと、第２回転清掃体３０の表面に沿って形成される隔壁湾曲部１１ｅとを有し、隔壁湾曲部１１ｄと隔壁湾曲部１１ｅとが連続して形成されている。つまり、隔壁湾曲部１１ｄと隔壁湾曲部１１ｅとの境界において、第１回転清掃体２０と第２回転清掃体３０との間を区画する鉛直方向に延びる壁が形成されていないことを意味している。また、隔壁湾曲部１１ｄは、断面視において、第１回転清掃体２０の略前端部まで延びている。隔壁湾曲部１１ｅは、断面視において、第２回転清掃体３０の後端部よりも後方且つ先端が軸部３０ａと略一致する高さまで下降するように延びている。
【００５５】
上ケース１１Ｂは、連結部１２と一体に形成されて電動機４０および回路基板５０（図４参照）の上部を覆う本体部１１ｆと、この本体部１１ｆの外側に重ねて配置されるカバー部１１ｇと、を有している。カバー部１１ｇは、上ケース１１Ｂの前部および左右両端部に渡って配置されている（図２参照）。また、カバー部１１ｇの前面側には、電動機４０が収容される収容室Ｑ１と吸込具６の外部とを連通させる連通孔１１ｇ１が形成されている。なお、本実施形態では、バンパ１１ａが、下ケース１１Ａと上ケース１１Ｂ（カバー部１１ｇ）とで挟み込まれることで保持されている。
【００５６】
なお、本実施形態では、吸口ケース１０を正面視したときに（前方から見たときに）、連通孔１１ｇ１を視認できる位置に形成されている場合を例に挙げて説明したが、このような構成に限定されるものではない。例えば、連通孔１１ｇ１をバンパ１１ａの上端部１１ａ１よりも上下方向の下側に形成し且つ連通孔１１ｇ１をバンパ１１ａで閉塞しないようにして、吸口ケース１０を正面視したときに（前方から見たときに）、連通孔１１ｇ１を視認できない位置に形成する構成にしてもよい。
【００５７】
第１回転清掃体２０は、回転軸２１にブラシ２０ａ，２０ｂ，２０ｃを保持するコア部材２２が外嵌されている。コア部材２２は、ブラシ２０ａを保持する断面視略Ｃ字状の保持部２２ａ、保持部２２ａの両側に隣接してブラシ２０ｂを保持する同断面形状の保持部２２ｂ，２２ｂ、保持部２２ｂに隣接してブラシ２０ｃを保持する同断面形状の保持部２２ｃを有し、回転軸２１の軸方向に対して保持部２２ａ，２２ｂ，２２ｃがらせん状に配置されている。このように、ブラシ２０ａ，２０ｂ，２０ｃをらせん状に配置することにより、第１回転清掃体２０が回転したときに、床面Ｍにブラシ２０ａ，２０ｂ，２０ｃを連続して当てることができ、第１回転清掃体２０の動作時の振動を抑制することができる。
【００５８】
第２回転清掃体３０は、軸部３０ａの周囲にパイプ体３０ｅが固定され、このパイプ体３０ｅの外周面に刷毛体（起毛布）３０ｂが植設されている。この刷毛体３０ｂの先端は、隔壁湾曲部１１ｅの表面全体に接する様な刷毛高さを有するものに限定されず、必ずしも隔壁湾曲部１１ｅの表面全体に接するものである必要はない。
【００５９】
例えば、図６に示すように、隔壁湾曲部１１ｅの内側（刷毛体３０ｂに対向する面）に、断面形状が略三角形状の突起３５ａを設けるようにしてもよい。この突起３５ａは、軸部３０ａに沿って刷毛体３０ｂに対応する位置に直線状に延びて形成されている。この場合、軸部３０ａに向けて延びる突起３５ａの起立面３５ａ１と刷毛体３０ｂの先端が接触する様に刷毛高さを設定することにより、回転方向Ｗ２には第２回転清掃体３０が摩擦抵抗が小さくほぼ自由に回転するが、回転方向Ｗ２と逆方向には摩擦抵抗が大きくほぼロック状態となる。なお、本実施形態では、突起３５ａを１ヶ所に設けた場合を例に挙げて説明したが、これに限定されるものではなく、突起３５ａを第２回転清掃体３０の回転方向に間隔を置いて２つ以上の複数個所に設ける構成であってもよい。また、突起３５ａの断面形状は、三角形に限定されるものではなく、第２回転清掃体３０の回転方向Ｗ２と逆方向への回転を規制することができるものであれば、軸部３０ａに向けて延びる板状の突起であってもよい。
【００６０】
さらに詳しく説明すると、第２回転清掃体３０の回転駆動力は、刷毛体３０ｂと床面Ｍとの摩擦力であり、第２回転清掃体３０の回転制動力は、刷毛体３０ｂと突起３５ａとの摩擦力である。刷毛体３０ｂを構成する微細繊維は、パイプ体３０ｅに対し円周方向に傾斜しており、その傾斜の方向は、刷毛体３０ｂが床面に接する位置にて、吸込具６の前方から後方向きである。このため、吸込具６を前進させる時は、刷毛体３０ｂと床面Ｍとの摩擦力すなわち第２回転清掃体３０の回転駆動力は小さくなり、刷毛体３０ｂと突起３５ａとの摩擦力すなわち第２回転清掃体３０の回転制動力は大きくなり、第２回転清掃体３０の回転は規制される。逆に吸込具６を後進させる時は、刷毛体３０ｂと床面Ｍとの摩擦力すなわち第２回転清掃体３０の回転駆動力は大きくなり、刷毛体３０ｂと突起３５ａとの摩擦力すなわち第２回転清掃体３０の回転制動力は小さくなり、第２回転清掃体３０は回転する。
【００６１】
なお、本実施形態例において、吸込具６の前進時には、第２回転清掃体３０の回転がほぼロック状態になると説明したが、必ずしもロックする必要はなく、吸込具６が前進している状態で第２回転清掃体３０の回転が、フリーの時と比較して遅くなれば、第１回転清掃体２０によって吸込室Ｑ２内に掻き込まれた塵埃が吸口本体１１の後方に掃き出されるのを防止することができる。
【００６２】
また、本実施形態では、パイプ体３０ｅの全周方向に刷毛体３０ｂを均等に配置した場合を例に挙げて説明したが、これに限定されるものではなく、第１回転清掃体２０と同様に、刷毛体３０ｂを軸部３０ａの軸方向に対してらせん状に配置する構成であってもよい。
【００６３】
また、第１回転清掃体２０の一端と他端の色相を互いに異なるもの（例えば、一端側を緑色、他端側を青色）とし、第２回転清掃体３０の一端と他端の色相についても、第１回転清掃体２０の一端と他端の色相に対応するもの（一端側を緑色、他端側を青色）とすることが好ましい。これにより、第２回転清掃体３０を取り外して、再度組み付ける際に、刷毛体３０ｂの逆目の向きが逆になるのを防止することができる。
【００６４】
図６に示すように、電動機４０のステータ４１（ケーシング）は、横断面（出力軸４０ａに直交する断面の輪郭、輪切り断面）が略小判形状を呈している。ステータ４１は、一対の円弧部４１ａと、これらの円弧部４１ａをつなぐ一対の直線部４１ｂとを備えている。なお、電動機４０は、略小判状のものに限定されるものではなく、円形状のものであってもよい。
【００６５】
また、電動機４０は、収容室Ｑ１において、直線部４１ｂが鉛直方向の軸Ｚ１に対して傾斜した姿勢、つまり一方の円弧部４１ａが前方上向き且つ他方の円弧部４１ａが後方下向きとなるように収容されている。
【００６６】
また、電動機４０は、収容室Ｑ１において、電動機４０（ステータ４１）の前端部４１ｓ（前後方向の最前部）が、第１回転清掃体２０の後端部２０ｓ（前後方向の最後部）よりも前方に位置するように配置されている。これにより、第１回転清掃体２０の後端部２０ｓから後方に突出する電動機４０の距離を短くでき、吸口本体１１の前後幅を短くすることが可能になる。
【００６７】
また、電動機４０は、収容室Ｑ１において、電動機４０（ステータ４１）の下端部４１ｔ（鉛直方向の最下部）が、第１回転清掃体２０の上端部２０ｔ（鉛直方向の最上部）よりも鉛直方向の下方に位置するように配置されている。これにより、第１回転清掃体２０の上端部２０ｔから上方に突出する電動機４０の距離を短くでき、吸口本体１１の清掃面からの高さ（最大高さ）を低くすることができる。その結果、ソファやベッドなどの高さの低い隙間に吸口本体１１を挿入し易くできる。
【００６８】
ステータ４１の内部には、アーマチュア４４が回転自在に支持されている。また、ステータ４１の内周には、界磁用の瓦状に形成された２つのマグネット４５が周方向に間隔を隔てて固着されている。すなわち、本実施形態の電動機４０は、スロットの個数が７個、マグネット４５が２つ設けられた２極７スロットのモータである。なお、前記したスロットの数は、７個に限られることはなく他の個数（例えば８個）に設定してもよい。
【００６９】
アーマチュア４４は、出力軸４０ａを有し、この出力軸４０ａにコア部材４４ａと、コンミテータ４４ｂが固着されている。コア部材４４ａは、鉄心片を積層することで構成され、出力軸４０ａを中心にして放射状に延びる複数（例えば、本実施形態では７個）のティース４４ｃを有する。ティース４４ｃは、軸方向から見て略Ｔ字状に形成されており、これらティース４４ｃ間に軸方向に長い蟻溝状のスロット（例えば、本実施形態では７個）が形成されている。ティース４４ｃには、スロットを介して図示しないコイルが巻装されている。
【００７０】
また、吸口本体１１の上ケース１１Ｂは、円弧部４１ａの近傍および直線部４１ｂの近傍において、円弧部４１ａおよび直線部４１ｂに略沿う形状を有している。また、吸口本体１１の下ケース１１Ａは、隔壁湾曲部１１ｅの途中から略上方に延びて、上ケース１１Ｂと連結されている。
【００７１】
図７は、図２のＢ−Ｂ線断面図である。
図７に示すように、回路基板５０は、収容室Ｑ１において、実装面が鉛直方向（上下方向）上向きとなるように配置されている。すなわち、回路基板５０は、第１回転清掃体２０の後方ではなく、第１回転清掃体２０の上端部２０ｔ（鉛直方向の最上部）よりも上側に配置されている。なお、回路基板５０は、位置決め手段やねじ固定によって、位置ずれしないように吸口本体１１内に固定されている。また、本実施形態では、回路基板５０を水平に配置した場合を例に挙げて説明したが、回路基板５０を水平方向に対して傾斜した状態で配置する構成であってもよく、回路基板５０の実装面が前後方向を向くように、回路基板５０を起立した状態で配置してもよい。
【００７２】
図８は、軸受押え部材のロック機構の平面図を示し、（ａ）はロック状態、（ｂ）はロック解除状態である。なお、図８（ａ）では、説明の便宜上、軸受押え部材３２（図８（ｂ）参照）を取り外した状態を示している。
【００７３】
図８（ａ）に示すように、吸口本体１１は、第１回転清掃体２０の回転軸２１の端部（他端）を回転自在に支持する軸受部４１ｍと、第２回転清掃体３０の軸部３０ａの端部（他端）を回転自在に支持する軸受部４１ｎとを有している。
【００７４】
軸受押え部材３２は、吸口本体１１の下ケース１１Ａ（図６参照）に着脱（開閉）可能であり、係止部材３３を介して吸口本体１１の他端側の下面に取り付けられる。
【００７５】
係止部材３３は、円筒形状の支持部３３ａを有し、この支持部３３ａを上ケース１１Ｂと下ケース１１Ａから突出した支持突起（不図示）によって上下から支持されている。また、係止部材３３には、支持部３３ａの回転動作によって軸受ユニット部４１ｕの側面４１ｕ１に形成されたスリット状の孔（不図示）から進退可能に動作する係止部３３ｂと、係止部３３ｂを側面４１ｕ１から進退動作させるレバー３３ｃと、が形成されている。
【００７６】
図８（ａ）に示すロック状態では、係止部３３ｂの一部が側面４１ｕ１に形成されたスリット状の孔（不図示）から突出するとともに、軸受押え部材３２に形成されたスリット状の孔（不図示）に突出した係止部３３ｂ入り込むことで、軸受押え部材３２が吸口本体１１に固定される。
【００７７】
そして、図８（ａ）に示すロック状態からレバー３３ｃを図示時計回り方向に回動させることで、支持部３３ａが時計回り方向に回動し、図８（ｂ）に示すように、係止部３３ｂが、軸受押え部材３２に形成されたスリット状の孔（不図示）から抜け出ることで、軸受押え部材３２を吸口本体１１から取り外すことができる。
【００７８】
ところで、第１回転清掃体２０のブラシ２０ａ，２０ｂ，２０ｃには、糸くずなどの繊維状のものや、髪の毛等が絡み付き易く、一旦絡み付くとこの種の塵埃は回転により徐々に蓄積され、ブラシ２０ａ，２０ｂ，２０ｃを固定する筒状基体に締め付けられるようになる。そこで、第１回転清掃体２０のブラシ２０ａ，２０ｂ，２０ｃに絡んだ糸くずなどの繊維状のものや、髪の毛等を取り除くために、第１回転清掃体２０を吸口本体１１から取り外して掃除する必要がある。
【００７９】
そこで、延長管５から取り外した吸込具６を上向きとした状態において、前記のようにしてレバー３３ｃを操作して、軸受押え部材３２を吸口本体１１から取り外す。そして、第１回転清掃体２０の軸受部４１ｍ側のブラシ２０ａ，２０ｂ，２０ｃを指でつかみ、上方に引き上げた後、第１回転清掃体２０を他端側の斜め上方に引き上げることにより、第１回転清掃体２０の一端（軸受部４１ｍとは反対側）が吸口本体１１から離脱する。
【００８０】
なお、第２回転清掃体３０についても、軸受部４１ｎ側の刷毛体３０ｂをつかみ、上方に引き上げた後、第２回転清掃体３０を他端側の斜め上方に引き上げることにより、第２回転清掃体３０の一端（軸受部４１ｎとは反対側）を吸口本体１１から離脱させることができる。
【００８１】
掃除後は、上記と逆の手順で、第１回転清掃体２０の一端と第２回転清掃体３０の一端とを吸口本体１１に組み込んだ後、第１回転清掃体２０の他端を軸受部４１ｍ、第２回転清掃体３０の他端を軸受部４１ｎ、にそれぞれ上方から押し込む。そして、軸受押え部材３２を吸口本体１１の所定の位置に位置決めした後、レバー３３ｃを前記とは逆方向に操作することで、軸受押え部材３２が係止部３３ｂによって係止される。
【００８２】
このように、片側の軸受押え部材３２を取り外すだけで、第１回転清掃体２０と第２回転清掃体３０の双方を吸口本体１１から取り外すことができ、第１回転清掃体２０と第２回転清掃体３０の清掃時の作業性を向上できる。また、第２回転清掃体３０を１本もののブラシによって構成することで、第２回転清掃体３０を容易に交換することができる。例えば、第２回転清掃体３０として、絨毯用のものと、フローリング用のものとを用意しておき、利用者の好み（使用環境）に応じて交換することが容易になる。また、利用者が吸口本体１１の後ろ側から塵埃を吸い込む機能が不要であると考える場合もあるので、そのような場合にも対応できるように、第２回転清掃体３０を刷毛（はけ）形状のものに交換できるようにしてもよい。
【００８３】
図９は、吸込具を後進させたときの塵埃の流れを模式的に示す側面図である。なお、吸込具６が床面Ｍに接触していない場合には、連結部１２に設けられた車輪１６ａが下方に突出して、ブラシ駆動スイッチ１６がオフになり、第１回転清掃体２０の動作が停止する。
【００８４】
図９に示すように、吸込具６が床面Ｍに接触すると、車輪１６ａが押し込まれ（白抜き矢印参照）、ブラシ駆動スイッチ１６がオンになり、第１回転清掃体２０がＷ１方向（図示反時計回り方向）に回転する。このとき、床面Ｍと接触する領域のブラシ２０ａ，２０ｂ，２０ｃの先端が撓むことで、ブラシ２０ａ，２０ｂ，２０ｃと床面Ｍとの接触抵抗を十分に確保することができ、床面Ｍの塵埃を効果的に掻き込むことができる。
【００８５】
同様に、第２回転清掃体３０が床面Ｍと接触することにより、床面Ｍと接触する領域の刷毛体３０ｂが撓むことで、刷毛体３０ｂと床面Ｍとの接触抵抗を十分に確保することができる。
【００８６】
この場合、吸込具６が床面Ｍに接触した状態で吸込具６を後進させると、第２回転清掃体３０は、刷毛体３０ｂと床面Ｍとの接触抵抗より刷毛体３０ｂと隔壁湾曲部１１ｅ（図６参照）との接触抵抗が小さいため、符号Ｗ３で示す回転方向に回転し、床面Ｍ上の塵埃ＤＳを吸込室Ｑ２（図６参照）内に導入することができる。導入された塵埃ＤＳは、吸込室Ｑ２（図６参照）から流路Ｒ（図３参照）を通じて吸口継手１３（図２参照）の通路に運ばれ、その後、延長管５、操作管４およびホース部３を通じて掃除機本体２の集塵部２ｂに吸引される（図１参照）。集塵部２ｂによって塵埃が取り除かれた空気は、図示しないフィルタおよび電動送風機２ａ内を通り、掃除機本体２の外部に排出される（図１参照）。
【００８７】
図１０は、吸込具を前進させたときの塵埃の流れを模式的に示す側面図である。
図１０に示すように、吸込具６が床面Ｍに接触した状態で吸込具６を前進させると、第２回転清掃体３０は、刷毛体３０ｂと床面Ｍとの接触抵抗よりも刷毛体３０ｂと隔壁湾曲部１１ｅの突起３５ａとの接触抵抗が大きいため回転せず、吸込室Ｑ２内に吸引された塵埃が吸口本体１１の後方に掃き出されるのを防止することができる。特に、第１回転清掃体２０の回転によって吸込室Ｑ２内に吸引された塵埃が後方へ弾かれ、吸口本体１１の後方に飛び出ることを抑制できる。
【００８８】
吸引された塵埃は、吸込室Ｑ２（図６参照）から流路Ｒ（図３参照）を通じて吸口継手１３の通路に運ばれ、その後、延長管５、操作管４およびホース部３を通じて掃除機本体２の集塵部２ｂに吸引される（図１参照）。集塵部２ｂによって塵埃が取り除かれた空気は、図示しないフィルタおよび電動送風機２ａ内を通り、掃除機本体２の外部に排出される（図１参照）。
【００８９】
このように、第１回転清掃体２０の後方に床面Ｍと接する第２回転清掃体３０を設けたことにより、吸込具６を後進させたときに（吸込具６を後方に引いたときに）、第２回転清掃体３０が床面Ｍとの接触抵抗により回転することで、吸口本体１１の後方の塵埃ＤＳを吸込室Ｑ２内に吸い込むことができる（図９参照）。
【００９０】
また、吸込具６を前進させたときに（吸込具６を前方へ押したときに）、第２回転清掃体３０の回転が規制されるため、第１回転清掃体２０によって吸込室Ｑ２内に掻き込まれた塵埃が、吸口本体１１の後方に掃き出されるのを防止することができる（図１０参照）。
【００９１】
また、第２回転清掃体３０の回転方向を規制する手段として可動部を設ける必要がないので、構造が簡単になる。また、砂ゴミ等の侵入により、規制機能が損なわれる恐れも少なくなる。
【００９２】
図１１は、吸込具を後進させたときの塵埃の流れを模式的に示す下面図である。
図１１に示すように、第２回転清掃体３０が第１回転清掃体２０の一端から他端に渡って全副に設けられているので、吸込具６を後進させたときに（吸込具６を後方に引いたときに）、吸口本体１１の両側（軸方向の両側）の塵埃ＤＳ１，ＤＳ２を吸込室Ｑ２（図６参照）に吸い込むことができ、さらに吸口本体１１の中央の塵埃ＤＳ３を吸込室Ｑ２（図６参照）に吸い込むこともできる。このように、吸込具６を後進させたときに、吸込室Ｑ２の全幅に渡って塵埃ＤＳ１，ＤＳ２，ＤＳ３を取り込むことができる。
【００９３】
また、車輪１７に小径部１７ｂが形成されているので、吸込具６を後進させたときに、小径部１７ｂを通して塵埃ＤＳ３を前方に通過させることができ、塵埃ＤＳ３を第２回転清掃体３０によって吸込室Ｑ２（図６参照）に取り込み易くできる。
【００９４】
図１２は、吸込具による別の効果を模式的に示す下面図である。
図１２に示すように、第１回転清掃体２０と第２回転清掃体３０とが前後方向に離間して配置され、第１回転清掃体２０と第２回転清掃体３０との間に隙間Ｓが形成されるので、吸込具６を移動させたときに、吸込具６の左右（側方）にある塵埃ＤＳ４を隙間Ｓから吸込室Ｑ２（図６参照）内に取り込むことができる。
【００９５】
このように第２回転清掃体３０が吸込室Ｑ２の全幅に渡って連続的に設けられているため、吸込室Ｑ２から後方へごみ（塵埃）が飛び出す恐れを低減することができ、また吸込室Ｑ２内の音が漏れて騒音が増大する恐れを低減することができる。また、第２回転清掃体３０が吸込室Ｑ２の全幅に渡って連続的に設けられているため、吸込室Ｑ２の気密が向上するので、吸込具６の左右（側方）にある塵埃ＤＳ４を隙間Ｓから吸込室Ｑ２内に取り込む吸引力を増大することができる。
【００９６】
なお、第１回転清掃体２０と第２回転清掃体３０との間の隙間Ｓは、吸口本体１１の前後幅Ｄ（図２参照）が過大とならず、かつ、吸込具６の左右側方から塵埃ＤＳ４の吸い込みを損なわない範囲において適宜設定することができる。
【００９７】
図１３は、吸込具の内部の冷却風の流れを示す模式図である。
図１３に示すように、掃除機本体２（図１参照）の電動送風機２ａ（図１参照）を駆動させることにより、連通孔１１ｇ１（図６参照）から吸い込まれた空気Ｅ１は、連通孔１１ｇ１の奥側に起立した壁部１１ｍに当たり、壁部１１ｍに沿って一端側（図示右側）に進んだ後、電動機４０側に入り込み、電動機４０のステータ４１の開口４１ｃからステータ４１の内部を通り、ステータ４１の開口４１ｄから排出されることで電動機４０が冷却される。
【００９８】
電動機４０を冷却した後の空気は、符号Ｅ２で示すように、連通部１８を介して吸込室Ｑ２（図６参照）に吸い込まれる。また、電動機４０を冷却した後の空気は、符号Ｅ３で示すように、空間Ｑ３と流路Ｒ（図３参照）とを連通する連通孔１２ａ１に吸い込まれる。また、電動機４０を冷却した後の空気は、符号Ｅ４で示すように、空間Ｑ３、軸１４ａの内部を通って第１連結部１４に吸い込まれる。
【００９９】
また、掃除機本体２（図１参照）の電動送風機２ａ（図１参照）を駆動させることにより、連通孔１１ｇ２（図７参照）から吸い込まれた空気Ｅ５は、壁部１１ｍに沿って他端側（図示左側）に進んだ後、回路基板５０の側方後部側に回り込んで、回路基板５０の外側方に形成されて壁部に形成された連通孔１１ｎから回路基板５０側に入り込み、回路基板５０上を流れた後、連通部１９を介して流路Ｒ（図３参照）に吸い込まれる。
【０１００】
このように、冷却風を収容室Ｑ１（図６、図７参照）内に取り込むことで、電動機４０および回路基板５０を冷却することができる。なお、この冷却風を流す構成は一例であって、電動機４０および回路基板５０を冷却することができる構成であれば、本実施形態に限定されるものではない。
【０１０１】
以上説明したように、第１実施形態の電気掃除機１は、第１回転清掃体２０および第２回転清掃体３０が配置される吸込室Ｑ２と、吸込室Ｑ２の上方に配置されて電動機４０および回路基板５０を収容する収容室Ｑ１とに区画する隔壁１１ｃを有する吸口ケース１０と、を備え、電動機４０の前端部４０ｓが第１回転清掃体２０の後端部２０ｓよりも前方に位置するとともに、収容室Ｑ１には回転軸２１の軸方向の一端側に電動機４０、他端側に回路基板５０が配置され、第２回転清掃体３０は、吸込室Ｑ２の一端から他端の全幅に渡って設けられている。
【０１０２】
このように、電動機４０および回路基板５０を第１回転清掃体２０よりも上部に、回転軸２１の軸方向の一端側に電動機４０、他端側に回路基板５０を配置することで、吸口ケース１０の吸口本体１１の前後幅Ｄ（図２参照）を短くすることができるので、吸口本体１１と床面Ｍとの接触面積が減少し、床面Ｍと吸込具６との摩擦が減少し、使用者の操作性（吸込具６の移動を少ない力で操作できるなど）を向上させることができる。
【０１０３】
しかも、第２回転清掃体３０が吸込室Ｑ２の一端から他端の全幅に渡って設けられているので、吸込具６を後進させたときに（後方に引いたときに）、吸口本体１１（第１回転清掃体２０）の後方の全幅に渡って床面Ｍから塵埃を吸い込むことができる。
【０１０４】
また、吸口本体１１の前後幅Ｄ（図２参照）を短くできることにより、吸口本体１１の左右方向（長手方向）を移動方向にした掃除をする際に、壁際や、家具の間などより狭い隙間に挿入して掃除することが可能になる。
【０１０５】
また、第１実施形態では、第２回転清掃体３０が吸込室Ｑ２の一端から他端に至るまで連続して形成されている。これによれば、吸込具６を前進させたときに吸込具６の前方から吸い込んだ塵埃が第２回転清掃体３０の後方に抜け出るのを防止することができる。また、第１実施形態では、作動音が吸込具６の後方から外部に洩れ出るのを抑制することができる。
【０１０６】
また、第１実施形態では、第２回転清掃体３０が第１回転清掃体２０から離間して配置されている。これによれば、第１回転清掃体２０と第２回転清掃体３０との間の隙間Ｓから、吸込具６の側方の塵埃を吸い込むことが可能になる（図１２参照）。これにより、吸込具６の前後左右のすべての方向から塵埃を吸い込むことが可能になる。
【０１０７】
また、第１実施形態では、第２回転清掃体３０が吸口ケース１０に対して着脱可能に構成されている（図８参照）。これによれば、第２回転清掃体３０を吸口ケース１０から取り外して行うことができるので、第２回転清掃体３０の清掃作業が容易になる。また、第２回転清掃体３０の種類、例えば、床面Ｍが絨毯である絨毯用の刷毛体（ブラシ）と、床面Ｍがフローリングであるフローリング用の刷毛体（ブラシ）とを交換できるようにして、使用環境に応じて第２回転清掃体３０の種類を変更することができ、効率的な清掃を行うことが可能になる。
【０１０８】
なお、第１実施形態では、電動機４０の出力軸４０ａが第１回転清掃体２０の回転軸２１よりも後方に位置するようにして電動機４０を第１回転清掃体２０の上部後方に配置する場合を例に挙げて説明したが、電動機４０の前端部４０ｓが第１回転清掃体２０の後端部２０ｓよりも前方に位置する構成であればよく、例えば、第１回転清掃体２０の回転軸２１と、電動機４０の出力軸４０ａとが鉛直方向において重なるように配置する構成、換言すると第１回転清掃体２０の真上に電動機４０が位置する構成であってもよい。また、吸口本体１１の前後幅を損なわない範囲であれば、電動機４０の出力軸４０ａが第１回転清掃体２０の回転軸２１よりも前方に位置する構成であってもよい。
【０１０９】
また、第１実施形態では、電動機４０の下端部４０ｔ（図６参照）が、第１回転清掃体２０の上端部２０ｔ（図６参照）よりも鉛直方向下方に位置する場合を例に挙げて説明したが、電動機４０の下端部４０ｔが、第１回転清掃体２０の上端部２０ｔよりも鉛直方向上方に位置する構成であってもよい。
【０１１０】
（第２実施形態）
図１４は、本発明の第２実施形態に係る電気掃除機の吸込具を示す下面図である。第２実施形態に係る電気掃除機１の吸込具６Ａは、第２回転清掃体３０に替えて第２回転清掃体３０Ａとした構成である。なお、第２実施形態において、第１実施形態と同様の構成については同一の符号を付して重複した説明を省略する。
【０１１１】
図１４に示すように、第２回転清掃体３０Ａは、３本の回転清掃体３７ａ，３７ｂ，３７ｃを備え、各軸が同一直線Ｌ上に位置するようにして構成されている。回転清掃体３７ａは、一端が軸受押え部材３１側の軸受（不図示）に、他端が吸口本体１１に形成された軸受部３７ｄに、それぞれ回転可能に支持されている。回転清掃体３７ｂは、一端が軸受部３７ｄに、他端が吸口本体１１に形成された軸受部３７ｅに、それぞれ回転可能に支持されている。回転清掃体３７ｃは、一端が軸受部３７ｅに、他端が軸受押え部材３２側の軸受（不図示）に、それぞれ回転可能に支持されている。なお、各回転清掃体３７ａ，３７ｂ，３７ｃの構成は、第１実施形態の第２回転清掃体３０の構成と同様である。
【０１１２】
第２実施形態によれば、第２回転清掃体３０Ａ（回転清掃体３７ａ，３７ｂ，３７ｃ）が、吸込室Ｑ２（図６参照）の一端から他端にかけて設けられているので、吸込具６Ａを後進させたときに、吸口本体１１の後方の床面Ｍの塵埃を吸込室Ｑ２のほぼ全幅に渡って吸い込むことができる。
【０１１３】
また、第２回転清掃体３０Ａを３本の回転清掃体３７ａ，３７ｂ，３７ｃで構成することにより、例えば中央の回転清掃体３７ｂの刷毛の密度を高くして気密性を向上させ、両側の回転清掃体３７ａ、３７ｃの刷毛の密度を低くして、後方の塵埃ＤＳ１，ＤＳ２を吸引し易くするなど、目的に応じて３本の回転清掃体の仕様を異ならせることが容易になる。
【０１１４】
なお、本実施形態では、第２回転清掃体３０Ａを３本の回転清掃体３７ａ，３７ｂ，３７ｃで構成した場合を例に挙げて説明したが、３本に限定されるものではなく、２本で構成しても、４本以上で構成してもよい。
【０１１５】
また、本実施形態では、回転清掃体３７ａ，３７ｂ，３７ｃの軸方向の長さをすべて同じにした場合を例に挙げて説明したが、互いに異なる長さ、例えば、回転清掃体３７ｂの長さを、回転清掃体３７ａ，３７ｃの長さよりも長くする構成であってもよい。
【０１１６】
また、中央の回転清掃体３７ｂを、他の回転清掃体３７ａ，３７ｃよりも第１回転清掃体２０側に近づける構成であってもよい。また、中央の回転清掃体３７ｂを、他の回転清掃体３７ａ，３７ｃよりも第１回転清掃体２０側から遠ざける構成であってもよい。これにより比較的大きな塵埃も流路Ｒ（図３参照）に吸引し易くなる。
【０１１７】
（第３実施形態）
図１５は、本発明の第３実施形態に係る電気掃除機の吸込具を示す下面図である。第３実施形態に係る電気掃除機１の吸込具６Ｂは、第２回転清掃体３０に替えて第２回転清掃体３０Ｂとした構成である。なお、第３実施形態において、第１実施形態と同様の構成については同一の符号を付して重複した説明を省略する。
【０１１８】
図１５に示すように、吸込具６Ｂは、３本の回転清掃体３９ａ，３９ｂ，３９ｃを備え、左右の回転清掃体３９ａ，３９ｃを前側、中央の回転清掃体３９ｂを後側にずらして配置したものである。また、回転清掃体３９ｂの一端と回転清掃体３９ａの他端とが前後において重なり、回転清掃体３９ｂの他端と回転清掃体３９ｃの一端とが前後において重なるように配置されている。
【０１１９】
また、回転清掃体３９ａは、その一端が軸受押え部材３１の軸受（不図示）に、他端が吸口本体１１に形成された軸受部３９ｄに、それぞれ回転可能に支持されている。回転清掃体３９ｃは、その一端が吸口本体１１に形成された軸受部３９ｅに、他端が軸受押え部材３２の軸受（不図示）に、それぞれ回転可能に支持されている。回転清掃体３９ｂは、その一端が連結部１２近傍に形成された軸受部３９ｆに、他端が連結部１２近傍に形成された軸受部３９ｇに、それぞれ回転可能に支持されている。
【０１２０】
第３実施形態によれば、第２回転清掃体３０Ｂ（回転清掃体３９ａ，３９ｂ，３９ｃ）が、吸込室Ｑ２（図６参照）の一端から他端の全幅に渡って設けられているので、吸込具６Ｂを後進させたときに、吸口本体１１の後方の床面Ｍの塵埃を吸込室Ｑ２の全幅に渡って吸い込むことができる。
【０１２１】
このように回転清掃体３９ａと３９ｂの隙間および回転清掃体３９ｂと３９ｃとの隙間を無くすことができるので、隙間を通して，吸込室Ｑ２から後方へごみ（塵埃）が飛び出す恐れを低減することができ、また吸込室Ｑ２内の音が漏れて騒音が増大する恐れを低減することができる。また、吸込室Ｑ２の気密が向上するので、吸込具６の左右（側方）にある塵埃ＤＳ４を隙間Ｓから吸込室Ｑ２内に取り込む吸引力を増大することができる（図１２参照）。
【０１２２】
本発明は、前記した実施形態に限定されるものではなく、本発明の趣旨を逸脱しない範囲において適宜変更することができる。例えば、各実施形態では、第２回転清掃体３０，３０Ａ，３０Ｂを第１回転清掃体２０の軸方向の一端から他端に渡って配置した場合を例に挙げて説明したが、第２回転清掃体３０，３０Ａ，３０Ｂを、第１回転清掃体２０よりも軸方向に長くする構成であってもよい。なお、この場合には、吸込具６，６Ａ，６Ｂを後進させたときに第２回転清掃体３０，３０Ａ，３０Ｂで掻き込んだ塵埃を吸込室Ｑ２に誘導する流路を設けることが好ましい。
【符号の説明】
【０１２３】
１      電気掃除機
２      掃除機本体
２ａ    電動送風機
２ｂ    集塵部
６，６Ａ，６Ｂ  吸込具
１０    吸口ケース
１１ｃ  隔壁
１１ｄ，１１ｅ  湾曲部
２０    第１回転清掃体
２０ｓ  後端部
２１    回転軸
３０，３０Ａ，３０Ｂ  第２回転清掃体
３０ａ  軸部（軸）
４０    電動機
４０ａ  出力軸
４１ｓ  前端部
５０    回路基板（制御基板）
Ｍ      床面（清掃面）
Ｑ２    吸込室
Ｑ１    収容室
【図１】
2015116414.tif 000003
【図２】
2015116414.tif 000004
【図３】
2015116414.tif 000005
【図４】
2015116414.tif 000006
【図５】
2015116414.tif 000007
【図６】
2015116414.tif 000008
【図７】
2015116414.tif 000009
【図８】
2015116414.tif 000010
【図９】
2015116414.tif 000011
【図１０】
2015116414.tif 000012
【図１１】
2015116414.tif 000013
【図１２】
2015116414.tif 000014
【図１３】
2015116414.tif 000015
【図１４】
2015116414.tif 000016
【図１５】
2015116414.tif 000017